(57)【要約】      （修正有）【課題】組立及び分解が容易であって、不使用の際の保管や輸送等の際には嵩張らない状態に簡単になれる組立式パレットを提供する。【解決手段】第１の載荷板１と、前記第１の載荷板１に着脱可能に取付けられる複数の脚体３と、を有する組立式パレットであって、前記第１の載荷板１は、載荷面１１と、前記載荷面１１の反対側にある組立面１２と、を両面として有し、前記組立面１２には複数で前記複数の脚体３と同数の装着凹部１２１が形成されており、前記複数の脚体３は、それぞれの一端部が１つの前記装着凹部１２１に着脱可能に挿し込まれて取付けられるように構成され、さらに、第１の載荷板１と同じ構成になっている第２の載荷板２が、第１の載荷板１に着脱可能に取付けられる。【選択図】図２
0003180820.tif 000002
【実用新案登録請求の範囲】
【請求項１】
第１の載荷板と、前記第１の載荷板に着脱可能に取付けられる複数の脚体と、を有する組立式パレットであって、
前記第１の載荷板は、載荷面と、前記載荷面の反対側にある組立面と、を両面として有し、
前記組立面には、複数で前記複数の脚体と同数の装着凹部が形成されており、
前記複数の脚体は、それぞれの一端部が１つの前記装着凹部に着脱可能に挿し込まれて取付けられるように構成されていることを特徴とする組立式パレット。
【請求項２】
前記第１の載荷板と同じ構成になっている第２の載荷板を更に備えており、
前記複数の脚体は、いずれも一端部が前記第１の載荷板の１つの前記装着凹部に挿し込まれて取付けられていると共に、該一端部の反対側にある他端部が前記第２の載荷板の対応する装着凹部に挿し込まれて取付けられるように構成されていることを特徴とする請求項１に記載の組立式パレット。
【請求項３】
前記複数の脚体は、いずれもネジによって前記第１の載荷板に着脱可能に取付けられるように構成されていることを特徴とする請求項１または２に記載の組立式パレット。
【請求項４】
前記第１の載荷板に形成されている前記複数の装着凹部は、数が４つ以上あると共に、第１の方向に沿って、互いに平行な複数列になっており、
更に、前記第１の載荷板に取付けられている前記複数の脚体は、前記第１の方向で隣り合っているものが前記第１の方向に沿って延設されている第１の連結手段によって繋げられていることを特徴とする請求項１に記載の組立式パレット。
【請求項５】
前記複数の装着凹部は、更に前記第１の載荷板に前記第１の方向と直交する第２の方向においても平行に碁盤状に並べられており、
前記第１の載荷板に取付けられている前記複数の脚体は、前記第２の方向で隣り合っているものが前記第２の方向に沿って延設されている第２の連結手段によって更に繋げられていることを特徴とする請求項４に記載の組立式パレット。
【考案の詳細な説明】
【技術分野】
【０００１】
本考案は組立式パレットに関し、特に、組立及び分解が容易であって、不使用の際の保管もしくは輸送等の場合には嵩張らない状態に簡単になれる組立式パレットに関する。
【背景技術】
【０００２】
従来より、様々な産業分野において、製品や部品、原料等の各種物体を運搬するため、パレットが使用されている。この種のパレットは、上記各種物体を載せるための載荷板と、載荷板を支持する複数の脚体と、が一体的に形成された構造を有している。
【０００３】
しかしながら、従来知られるパレットでは、載荷板と脚体とが分解できないため、不使用の際の保管もしくは輸送等の場合には、パレットを積み重ねることによって、高さが高くなって嵩張り、より大きな保管スペースが必要となるのに加え、輸送コストも高くなるという問題点がある。
【先行技術文献】
【特許文献】
【０００４】
【特許文献１】台湾登録実用新案第Ｍ４１４３９２号明細書
【考案の概要】
【考案が解決しようとする課題】
【０００５】
本考案は、前記問題点に鑑みてなされたもので、組立及び分解が容易であって、不使用の際の保管もしくは輸送等の場合には嵩張らない状態に簡単になれる組立式パレットを提供することを目的としている。
【課題を解決するための手段】
【０００６】
上記目的を達成すべく、本考案は、第１の載荷板と、前記第１の載荷板に着脱可能に取付けられる複数の脚体と、を有する組立式パレットであって、前記第１の載荷板は、載荷面と、前記載荷面の反対側にある組立面と、を両面として有し、前記組立面には複数で前記複数の脚体と同数の装着凹部が形成されており、前記複数の脚体は、それぞれの一端部が１つの前記装着凹部に着脱可能に挿し込まれて取付けられるように構成されていることを特徴とする組立式パレットを提供する。
【０００７】
本考案の組立式パレットにおいて、前記第１の載荷板と同じ構成になっている第２の載荷板を更に備えており、前記複数の脚体は、いずれも一端部が前記第１の載荷板の１つの前記装着凹部に挿し込まれて取付けられていると共に、該一端部の反対側にある他端部が前記第２の載荷板の対応する装着凹部に挿し込まれて取付けられるように構成されていることが好ましい。
【０００８】
また、本考案の組立式パレットにおいて、前記複数の脚体は、いずれもネジによって前記第１の載荷板に着脱可能に取付けられるように構成されていることが好ましい。
【０００９】
更に、本考案の組立式パレットにおいて、前記第１の載荷板に形成されている前記複数の装着凹部は、数が４つ以上あると共に、第１の方向に沿って、互いに平行な複数列になっており、更に、前記第１の載荷板に取付けられている前記複数の脚体は、前記第１の方向で隣り合っているものが前記第１の方向に沿って延設されている第１の連結手段によって繋げられていることが好ましい。
【００１０】
また、本考案の組立式パレットにおいて、前記複数の装着凹部は、更に前記第１の載荷板に前記第１の方向と直交する第２の方向においても平行に碁盤状に並べられており、前記第１の載荷板に取付けられている前記複数の脚体は、前記第２の方向で隣り合っているものが前記第２の方向に沿って延設されている第２の連結手段によって更に繋げられていることが好ましい。
【考案の効果】
【００１１】
上記構造により、本考案は、組立及び分解が容易であって、不使用の際の保管もしくは輸送等の場合には嵩張らない状態に簡単になれる組立式パレットを提供することができる。
【図面の簡単な説明】
【００１２】
【図１】本考案の組立式パレットの第１の実施形態の斜視図である。
【図２】本考案の組立式パレットの第１の実施形態の分解斜視図である。
【図３】図１における組立式パレットの第１の実施形態の内部構成が示されている断面図である。
【図４】本考案の組立式パレットの第２の実施形態の分解斜視図である。
【図５】本考案の組立式パレットの第３の実施形態の分解斜視図である。
【考案を実施するための形態】
【００１３】
以下では各図面を参照しながら、本考案の組立式パレットの各好ましい実施形態について説明する。
【００１４】
図１〜図３では本考案の第１の実施形態が示されており、図１はその斜視図であり、図２はその分解斜視図であり、図３はその内部構成が示されている断面図である。
【００１５】
図示のように、本考案の第１の実施形態は、第１の載荷板１と、第１の載荷板１と同じ構成になっている第２の載荷板２と、第１の載荷板１及び第２の載荷板２にそれぞれ着脱可能に取付けられる９つの脚体３と、を備えている。
【００１６】
第１の載荷板１は、例えばプラスチック材で一体的に成形され、載荷面１１と、載荷面１１の反対側にある組立面１２と、を上下両面として有している。組立面１２には、複数の脚体３に対応して脚体３と同数の９つの装着凹部１２１が設けられていると共に、４つの略十字形の補強窪み１２２が、それぞれ４つの隣り合っている装着凹部１２１の間に、対角関係になっている装着凹部１２１が繋がるように形成されている。９つの装着凹部１２１は、３つずつで１つの第１の方向１０に沿う列をなし、そして第２の方向２０においても３つの列をなすように整列されている。また、全ての装着凹部１２１には、それぞれ載荷面１１と組立面１２とを貫通する３つの貫通孔１４が穿設されている。
【００１７】
第２の載荷板２は、上記のように第１の載荷板１と同じ構成になっており、即ち、載荷面２１と、載荷面２１の反対側にある組立面２２と、を上下両面として有している。組立面２２には、複数の脚体３に対応して複数の脚体３と同数の９つの装着凹部２２１が設けられていると共に、４つの略十字形の補強窪み２２２が、それぞれ４つの隣り合っている装着凹部２２１の間に、対角関係になっている装着凹部２２１が繋がるように形成されている。９つの装着凹部２２１は、３つずつで１つの第１の方向１０に沿う列をなし、そして第２の方向２０においても３つの列をなすように整列されている。また、全ての装着凹部２２１には、それぞれ載荷面２１と組立面２２とを貫通する３つの貫通孔２４が穿設されている。
【００１８】
各脚体３は、周壁部３１と、第１の載荷板１の貫通孔１４及び第２の載荷板２の貫通孔２４の位置に対応して設けられている３つの中空柱状の螺合部３２と、周壁部３１と螺合部３２とを一体的に連結するように設けられている連結部３３と、からなり、ネジ４によって、各脚体３のいずれも一端部が第１の載荷板１の１つの装着凹部１２１に着脱可能に挿し込まれて取付けられていると共に、該一端部の反対側にある他端部が第２の載荷板２の対応する装着凹部２２１に着脱可能に挿し込まれて取付けられている。
【００１９】
続いて、本考案の組立式パレットの組み立てについて説明する。
【００２０】
まず、各脚体３の一端部を第１の載荷板１の組立面１２に設けられている各装着凹部１２１に挿し込んで、それから、ネジ４を載荷面１１側から、装着凹部１２１の貫通孔１４と、脚体３の螺合部３２の貫通孔１４に臨む一端部と、に挿通させ、螺合部３２の該一端部に設けられた螺合孔３２１に螺合させる。これによって、第１の載荷板１と各脚体３とが簡単に分解可能に一体連結される。
【００２１】
次に、各脚体３の他端部を第２の載荷板２の組立面２２に設けられている対応の装着凹部２２１に挿し込んで、それから、ネジ４を載荷面２１側から、装着凹部２２１の貫通孔２４と、脚体３の螺合部３２の貫通孔２４に臨む他端部と、に挿通させ、螺合部３２の該他端部に設けられた螺合孔３２２に螺合させる。これによって、第２の載荷板２と各脚体３とが簡単に分解可能に一体連結される。
【００２２】
上記構造によれば、パレットの組立及び分解が容易にできるので、不使用の際には大きな保管スペースが必要なく、また、輸送の際には嵩張らない状態にさせることができるので、輸送代を低く抑えることが可能になり、コスト面で大きなメリットが得られる。
【００２３】
図４は本考案の組立式パレットの第２の実施形態を示す分解斜視図であり、図示されているように、この第２の実施形態は第１の実施形態と類似する構成を有しており、以下は第１の実施形態と相違する構成のみを説明する。
【００２４】
本実施形態において、第１の載荷板１に取付けられている各脚体３は、第２の載荷板２の代わりに、第１の方向１０に沿って延設されている第１の連結手段５によって第１の方向１０で隣り合っているものが繋げられている。
【００２５】
この第２の実施形態は、第１の実施形態と同等な効果を発揮できるだけではなく、第２の載荷板２の代わりに第１の連結手段５を採用することによって、収納もしくは輸送の際には、その取り扱い性が向上し、さらなる利便性が期待できる。
【００２６】
図５は本考案の組立式パレットの第３の実施形態を示す分解斜視図であり、図示されているように、この第３の実施形態は第２の実施形態と類似する構成を有しているが、この実施形態において、第１の載荷板１に取付けられている各脚体３は、第１の方向１０で隣り合っているものが第１の方向１０に沿って延設されている第１の連結手段５によって繋げられているとともに、更に第２の方向２０で隣り合っているものが第２の方向２０に沿って延設されている第２の連結手段６によっても繋げられている。
【００２７】
この第３の実施形態は、第１及び第２の実施形態と同等な効果を発揮できるだけではなく、第２の連結手段６の増設によって、パレットとしての安定性が向上し、さらなる信頼性が期待できる。
【００２８】
尚、本考案は上記各実施形態に限定されるものではなく、本考案の要旨を逸脱しない範囲内で種々の改良、変形が可能であることは勿論である。
【産業上の利用可能性】
【００２９】
上記構造により、本考案は、組立及び分解が容易であって、不使用の際の保管もしくは輸送等の場合には嵩張らない状態に簡単になれる組立式パレットを提供することができる。
【符号の説明】
【００３０】
１      第１の載荷板
１１    載荷面
１２    組立面
１２１  装着凹部
１２２  補強窪み
１４    貫通孔
２      第２の載荷板
２１    載荷面
２２    組立面
２２１  装着凹部
２２２  補強窪み
２４    貫通孔
３      脚体
３１    周壁部
３２    螺合部
３２１  螺合孔
３２２  螺合孔
３３    連結部
４      ネジ
５      第１の連結手段
６      第２の連結手段
１０    第１の方向
２０    第２の方向
【図１】
0003180820.tif 000003
【図２】
0003180820.tif 000004
【図３】
0003180820.tif 000005
【図４】
0003180820.tif 000006
【図５】
0003180820.tif 000007